(57)【要約】【課題】携行品、特にはペットボトルの吊り下げ携帯に好適なストラップを提供する。【解決手段】二つ折りした吊り紐体と、該吊り紐体の２本の紐体を胴体に挿通させた状態で摺動し、駐止位置にて２本の紐体の締め付け固定と、その解除が可能な第１、第２の締め具を備えて構成する。二つ折り端と第１の締め具との間隔を携帯に適した長さになる位置に第１の締め具を摺動させ、その位置で２本の紐体を締め付け固定させる。次に第２の締め具を第１、第２の締め具間の紐体長さが適宜になる位置まで摺動させ、その状態で第１、第２の締め具間の２本の紐体を開いてその開口に携行品の被吊部を挿入する。第２の締め具を第１の締め具側に摺動させて被吊部を締め付け、その位置の２本の紐体を締め付け固定させる。二つ折り端側の紐体を吊り下げ部として携行品を吊り下げ携帯する。【選択図】図４
0003132582.tif 000002
【実用新案登録請求の範囲】
【請求項１】
携行品を吊り下げ携帯するためのストラップであって、
可撓性紐体を二つ折りした吊り紐体と、該二つ折りした２本の紐体を胴体に穿設した孔に挿通させた状態で吊り紐体上を摺動し、駐止位置にて２本の紐体の締め付け固定と、その固定の解除が可能な第１、第２の締め具を備えて構成されており、
前記二つ折り端と第１の締め具との間隔が携帯に適した長さになるよう第１の締め具を摺動させて該位置の２本の紐体を締め付け固定させ、次に前記二つ折り端からの距離が第１の締め具より遠い第２の締め具を第１、第２の締め具間の紐体長さが適宜になる位置まで摺動させ、該状態で第１、第２の締め具間の２本の紐体を開いてその開口に前記携行品の被吊部を挿入し、該状態にて第２の締め具を第１の締め具側に摺動させて前記被吊部を締め付け、該状態で前記第２の締め具にて該位置の２本の紐体を締め付け固定させ、該固定させた状態にて前記二つ折り端側の紐体を吊り下げ部として前記携行品を吊り下げ携帯する使い方をする携行品のストラップ。
【請求項２】
請求項１に記載のストラップであって、前記第１、第２の締め具間の２本の紐体を開いてその開口に前記携行品の被吊部を挿入して締め付ける代わりに、
開いた紐体の一方の紐体は右回り、他方の紐体は左回りで輪を形成させ、それら２つの輪の中に前記携行品の被吊部を挿入して締め付ける使い方をする携行品のストラップ。
【請求項３】
請求項１又は２に記載のストラップであって、前記二つ折りした紐体の両端を結んで結び目を形成したことを特徴とする携行品のストラップ。
【請求項４】
携行品を吊り下げ携帯するためのストラップであって、
環状にした第１、第２の紐体と、該第１、第２の紐体を８の字状に繋ぐ固定式締め具と、前記第２の紐体の２本の紐体を胴体に穿設した孔に挿通させた状態で該紐体上を摺動し、駐止位置にて２本の紐体の締め付け固定と、その固定の解除が可能な移動式締め具を備えて構成されており、
前記固定式締め具と移動式締め具間の紐体長さが適宜になる位置まで移動式締め具を摺動させ、該状態で固定式締め具と移動式締め具間の２本の紐体を開いてその開口に前記携行品の被吊部を挿入し、該状態にて移動式締め具を固定式締め具側に摺動させて前記被吊部を締め付け、該状態で前記移動式締め具にて該位置の２本の紐体を締め付け固定させ、該固定させた状態にて前記第１の紐体を吊り下げ部として前記携行品を吊り下げ携帯する使い方をする携行品のストラップ。
【請求項５】
請求項４に記載のストラップであって、前記固定式締め具と移動式締め具間の２本の紐体を開いてその開口に前記携行品の被吊部を挿入して締め付ける代わりに、
開いた紐体の一方の紐体は右回り、他方の紐体は左回りで輪を形成させ、それら２つの輪の中に前記携行品の被吊部を挿入して締め付ける使い方をする携行品のストラップ。
【請求項６】
請求項４又は５に記載のストラップにおいて、前記第１の紐体に代えて外れ止め付フックを紐又は鎖を介して前記固定式締め具に取り付け、該外れ止め付フックを鞄、リュック、ベルト等に設けられている被吊持部に引っ掛けることにより前記携行品を吊り下げ携帯する使い方をする携行品のストラップ。
【考案の詳細な説明】
【技術分野】
【０００１】
本考案は、携行品を吊り下げ携帯するためのストラップに関し、特にはお茶、ミネラルウォータ等の入ったペットボトルを吊り下げ携帯するのに好適な携行品のストラップに関する。
【背景技術】
【０００２】
近年、ミネラルウォータ、お茶、ジュース等の飲料水がペットボトルと呼ばれる飲料容器に入れられて大量に市販されている。このペットボトルは飲み口にネジ式のキャップが取り付けられており、飲み残した場合にはキャップで飲み口を再び封じて保管することができる。こうした飲み残し処理の容易さから飲料水の入ったペットボトルを水筒代わりに持ち歩く人が増えている。
【０００３】
しかし、ペットボトルは手で持って携帯するには不便であり、鞄やリュック等に収納するのでは嵩張る上、必要時に手軽に飲むことができない。そのためボトルの首部分にストラップを取り付けて鞄やリュックに吊り下げたり、取り付けたストラップを手で持ったり肩に掛けたりして携帯されており、そうした用途に使用するストラップが各種提案されている（特許文献１〜４参照）。
【０００４】
図１３は、そうした用途に使用される従来のストラップの例である（特許文献１参照）。このストラップ５０は弾性紐からなる環状のループ体５１に、そのループ体５１上を摺動して所定の位置で駐止し、その位置で弾性紐どうしを短絡してループ体５１に８の字を構成させる締め具５２が取り付けてある。このストラップ５０を用いてボトル５３を吊り下げる際は、８の字状の一方の環を二重輪にしてボトル５３の首部に繋止させ、その状態で締め具５２を移動させて環を縮める。これにより弾性紐が首部を締め付けてストラップ５０がボトル５３に固定されるので、ループ体５１の他方の環を把持してボトル５３を吊り下げる。
【０００５】
しかし、このような構成のストラップ５０では、ループ体５１の吊り下げ部となる環の大きさがループ体５１の長さにより決まってしまうため、ボトル５３を吊り下げた場合の吊り下げ長さを調整することができない。また、ループ体５１の全長が決まっているため、例えば、ボトル５３の胴部で吊り下げた場合には被吊部の周長の違いから吊り下げ長さが変化してしまう。そのため被吊部の周長と、希望する吊り下げ長さに合わせてループ体５１の吊り下げ部の中間に結び目を作ったり、手に二重に巻き付けたりして吊り下げ長さを調整しなければならない不便さがある。
【特許文献１】特開２０００−０００１１３号公報
【特許文献２】特開２０００−２３８７８３号公報
【特許文献３】特開２０００−００６９７４号公報
【特許文献４】特開２０００−０６２７８３号公報
【考案の開示】
【考案が解決しようとする課題】
【０００６】
本考案は、従来技術のこうした問題点を解決するためになされたもので、その課題は
携行品の被吊部を紐体で締め付け、その紐体の残余部を吊り下げ部として手で把持したり、鞄、リュック等に吊り下げたりして携行品を携行するためのストラップであって、第１の課題は吊り下げ部を任意の長さに調整できるようにしたストラップを提供すること、第２の課題は吊り下げ部の長さが被吊部の寸法に影響されないストラップを提供することにある。
【課題を解決するための手段】
【０００７】
前記課題を解決するための請求項１に記載の考案は、携行品を吊り下げ携帯するためのストラップであって、可撓性紐体を二つ折りした吊り紐体と、その二つ折りした２本の紐体を胴体に穿設した孔に挿通させた状態で吊り紐体上を摺動し、駐止位置にて２本の紐体の締め付け固定と、その固定の解除が可能な第１、第２の締め具を備えて構成されており、最初に二つ折り端と第１の締め具との間隔が携帯に適した長さになるよう第１の締め具を摺動させてその位置の２本の紐体を締め付け固定させ、次に二つ折り端からの距離が第１の締め具より遠い第２の締め具を第１、第２の締め具間の紐体長さが適宜になる位置まで摺動させ、その状態で第１、第２の締め具間の２本の紐体を開いてその開口に携行品の被吊部を挿入し、その状態にて第２の締め具を第１の締め具側に摺動させて被吊部を締め付け、その状態で第２の締め具にてその位置の２本の紐体を締め付け固定させ、その固定させた状態にて二つ折り端側の紐体を吊り下げ部として携行品を吊り下げ携帯する使い方をする携行品のストラップである。
【０００８】
このような構成のストラップによれば、吊り紐体の二つ折り端と第１の締め具との間隔を最初の手順で携行に適した任意の長さに調整しておくことができる。従って、携行品の携帯の仕方、即ち、吊り紐体を手に持って携帯するか、首に掛けて携帯するか、鞄やリュックに吊り下げて携帯するか等に合わせて吊り下げ部の長さを最適に調整できる利点がある。また、携行品の被吊部の寸法（周長）が異なっても、吊り下げ部である二つ折り端と第１の締め具との間隔は最初の手順で調整した最適長さから変化しない利点がある。
【０００９】
また、請求項２に記載の考案は、請求項１に記載のストラップであって、第１、第２の締め具間の２本の紐体を開いてその開口に携行品の被吊部を挿入して締め付ける代わりに、開いた紐体の一方の紐体は右回り、他方の紐体は左回りで輪を形成させ、それら２つの輪の中に携行品の被吊部を挿入して締め付ける使い方をする携行品のストラップである。
【００１０】
このように輪を形成して締め付ける使い方をするストラップによれば、輪部分の紐体が被吊部の縊れに食い込むため締め付け固定を確実にすることができる。
【００１１】
また、請求項３に記載の考案は、請求項１又は２に記載のストラップであって、二つ折りした紐体の両端を結んで結び目を形成したことを特徴とする携行品のストラップである。
【００１２】
このように結び目を設けておけば、第２の締め具を第１の締め具側に摺動させる際にその結び目を片方の手で持って摺動させることができる。それにより被吊部を紐体で固く締め付けることができる。
【００１３】
また、請求項４に記載の考案は、携行品を吊り下げ携帯するためのストラップであって、環状にした第１、第２の紐体と、その第１、第２の紐体を８の字状に繋ぐ固定式締め具と、第２の紐体の２本の紐体を胴体に穿設した孔に挿通させた状態で紐体上を摺動し、駐止位置にて２本の紐体の締め付け固定と、その固定の解除が可能な移動式締め具を備えて構成されており、最初に固定式締め具と移動式締め具間の紐体長さが適宜になる位置まで移動式締め具を摺動させ、その状態で固定式締め具と移動式締め具間の２本の紐体を開いてその開口に携行品の被吊部を挿入し、その状態にて移動式締め具を固定式締め具側に摺動させて被吊部を締め付け、その状態で移動式締め具にてその位置の２本の紐体を締め付け固定させ、その固定させた状態にて第１の紐体を吊り下げ部として携行品を吊り下げ携帯する使い方をする携行品のストラップである。
【００１４】
このような構成のストラップの場合、移動式締め具を摺動させて携行品の被吊部に締め付け固定するので、異なる寸法（周長）の被吊部にも容易に対応することができる。また、吊り下げ部となる第１の紐体は固定長であるので、被吊部の寸法（周長）が異なっても吊り下げ部の長さは変化しない利点がある。
【００１５】
また、請求項５に記載の考案は、請求項４に記載のストラップであって、固定式締め具と移動式締め具間の２本の紐体を開いてその開口に携行品の被吊部を挿入して締め付ける代わりに、開いた紐体の一方の紐体は右回り、他方の紐体は左回りで輪を形成させ、それら２つの輪の中に携行品の被吊部を挿入して締め付ける使い方をする携行品のストラップである。
【００１６】
このように輪を形成して締め付ける使い方をするストラップによれば、輪部分の紐体が被吊部の縊れに食い込むため締め付け固定を確実にすることができる。
【００１７】
また、請求項６に記載の考案は、請求項４又は５に記載のストラップにおいて、前記第１の紐体に代えて外れ止め付フックを紐又は鎖を介して前記固定式締め具に取り付け、該外れ止め付フックを鞄、リュック、ベルト等に設けられている被吊持部に引っ掛けることにより前記携行品を吊り下げ携帯する使い方をする携行品のストラップである。
【００１８】
このような外れ止め付フックが取り付けられていれば、携行品を鞄、リュック、ベルト等の被吊持部に簡単な操作で確実に吊り下げることができる。
【考案を実施するための最良の形態】
【００１９】
以下、本考案に係る携行品のストラップの構成と使用方法を実施形態に分けて説明する。
（第１の実施形態）
図１は、第１の実施形態に係るストラップの斜視図である。本ストラップ１は、図に示すように可撓性の吊り紐体２と、２つの締め具３を備えて構成されている。吊り紐体２は可撓性の紐体を二つ折りし、両端を結んで結び目５を形成したもので、全体として環状を成している。吊り紐体２には、二つ折り端２ｃ側から名付けて第１、第２の２つ締め具３ａ、３ｂが装着してある。第１、第２の締め具３ａ、４ｂは、吊り紐体２の二つ折りした２本の紐体２ａ、２ｂを胴体内に挿通させた状態で吊り紐体２上を摺動し、任意の位置に駐止してその位置の２本の紐体２ａ、２ｂを締め付け固定させる締め具である。
【００２０】
図２に締め具３の外観を、図３に締め具３の縦断面を示す。図に示すように締め具３は外形が略円柱状をしており、シリンダ体７とピストン体８とコイルスプリング９の３個の部品から構成されている。シリンダ体７は有底円筒状をなしており、開口端側からは円柱状のピストン体８が頂部８ａを開口端から突出させた状態で挿入されている。コイルスプリング９はシリンダ体７の内底面とピストン体８の底面との間に内装してあり、ピストン体８をシリンダ体７の開口端方向に向けて付勢している。
【００２１】
シリンダ体７の側周部には、吊り紐体２の二つ折りした２本の紐体２ａ、２ｂを軸と直角方向に挿通させる挿通孔７ａが穿設してある。ピストン体８の円柱部にも、２本の紐体２ａ、２ｂを軸と直角方向に挿通させる挿通孔８ｂが穿設してある。ピストン体８の頂部８ａをコイルスプリング９の付勢力に抗して押圧してピストン体８を押し込み、シリンダ体７の挿通孔７ａとピストン体８の挿通孔８ｂとを合致させ、その状態で二つ折りした２本の紐体２ａ、２ｂを挿通させる。ピストン体８の頂部８ａを押圧すると２本の紐体２ａ、２ｂは遊挿状態となり、締め具３を吊り紐体２上で自由に摺動させることができる。
【００２２】
締め具３を駐止させて押圧を止めると、ピストン体８はコイルスプリング９の付勢力によりシリンダ体７の開口端側に移動する。移動により２本の紐体２ａ、２ｂはシリンダ体７の挿通孔７ａとピストン体８の挿通孔８ｂの開口部とにより圧接されて締め付け固定される。２本の紐体２ａ、２ｂを締め付け固定させた締め具３は、駐止した位置に固定されて摺動しなくなる。
【００２３】
次に、このような第１、第２の２つの締め具３ａ、３ｂを備えるストラップ１により、一例としてペットボトルを吊り下げる手順について説明する。最初に、第１の締め具３ａのピストン体８の頂部８ａを押圧して２本の紐体２ａ、２ｂを遊挿状態とし、図１に示すように第１の締め具３ａを摺動させて吊り紐体２の二つ折り端２ｃとの間が携帯に適した長さになるような位置まで移動させる。その位置にて頂部８ａの押圧を止めてその位置の２本の紐体２ａ、２ｂを締め付け固定させる。これにより第１の締め具３ａはその位置に固定される。
【００２４】
続いて、第２の締め具３ｂを同じようにして摺動させ、第１、第２の締め具３ａ、３ｂ間の間隔が適宜の長さになるような位置で第２の締め具３ｂを駐止させる。次に図４に示すように、第１、第２の締め具３ａ、３ｂ間の２本の紐体２ａ、２ｂを開き、その開口にペットボトル１０の被吊部である首部１０ａを挿入する。挿入した状態にて第２の締め具３ｂのピストン体８の頂部８ａを押圧して第１の締め具３ａ側に摺動させ、開口を縮める。そしてペットボトル１０の首部１０ａを２本の紐体２ａ、２ｂにより締め付けた状態で押圧を止め、第２の締め具３ｂをその位置に固定させる。第２の締め具３ｂを第１の締め具３ａ側に摺動させる動作は、吊り紐体２の両端を結ぶ結び目５を片方の手で持って行なう。そうすることでペットボトル１０の首部１０ａを固く締め付けることができる。
【００２５】
以上のような手順により、吊り紐体２が図５に示すようにペットボトル１０の首部１０ａに締め付け固定される。その状態で二つ折り端２ｃ側の環状となった紐体を吊り下げ部として持ち上げる。持ち上げによりペットボトル１０は首部１０ａに固定された吊り紐体２によって吊り下げられた状態となる。
【００２６】
本実施形態のストラップ１では、吊り紐体２の二つ折り端２ｃと第１の締め具３ａとの間隔を、最初の手順で携帯に適した長さに調整しておくことができる。従って、ペットボトル１０の携帯の仕方、即ち、吊り紐体２を手に持って携帯するか、首に掛けて携帯するか、鞄やリュック等に吊り下げて携帯するかに合わせ、その長さを自由に調整できる利点がある。
【００２７】
また、図６はペットボトル１０の胴部１０ｂを被吊部としてストラップ１を締め付け固定した例である。このように被吊部の寸法（周長）が異なっても、吊り下げ部である二つ折り端２ｃと第１の締め具３ａとの距離は最初の手順で調整した長さから変化しない。従って、吊り下げ長さを携帯に最適な長さに容易に調整できる利点がある。
【００２８】
図７は、ストラップ１をペットボトル１０の被吊部（この場合は首部１０ａ）に固定させる他の実施形態である。この実施形態では、第１の締め具３ａと第２の締め具３ｂの間の吊り紐体２を開き、開いた紐体の一方は右回り、他方は左回りで輪を形成させ、それら２つの輪の中にペットボトル１０の首部１０ａを挿入して締め付け固定させる。このように輪を形成して締め付ければ、輪部分の紐体２ａ、２ｂが首部１０ａの縊れ部に食い込み、締め付け固定が確実になる。ペットボトル１０の胴部１０ｂにストラップ１を締め付け固定させる場合も同様に行なう。
【００２９】
（第２の実施形態）
図８は、第２の実施形態に係るストラップの斜視図である。本ストラップ１１は、図に示すように可撓性の紐を環状にした第１、第２の紐体１２、１３と、固定式締め具１５と、移動式締め具１６とを備えて構成されている。環状の第１、第２の紐体１２、１３は、固定式締め具１５によって８の字状に繋がれている。第２の紐体１３には移動式締め具１６が装着されている。
【００３０】
移動式締め具１６は、第１の実施形態のストラップ１に採用した締め具３と同じで、その構造は図２、図３に示したものである。移動式締め具１６は、第２の紐体１３の２本の紐体１３ａ、１３ｂを胴体内に挿通させた状態で第２の紐体１３上を摺動することができる。そして、任意の位置に駐止してその位置の２本の紐体１３ａ、１３ｂを締め付け固定させることができる。また、その締め付け固定を解除させて、再び摺動させることもできる。
【００３１】
本実施形態のストラップ１１による携行品の吊り下げ手順は、第１の実施形態のストラップ１の手順と殆ど同じである。一例としてペットボトル１０を吊り下げる場合について説明する。最初に移動式締め具１６のピストン体８の頂部８ａを押圧して図８に示すように摺動させ、固定式締め具１５と移動式締め具１６間の紐体が適宜の長さになる位置で駐止させる。次に、図９に示すように固定式締め具１５と移動式締め具１６の間の２本の紐体１３ａ、１３ｂを開き、その開口にペットボトル１０の被吊部である首部１０ａを挿入する。次に移動式締め具１６の頂部８ａを押圧して２本の紐体２ａ、２ｂを遊挿状態とし、固定式締め具１５側に摺動させて開口を縮める。そしてペットボトル１０の首部１０ａを２本の紐体１３ａ、１３ｂで締め付けた状態で押圧を止め、移動式締め具１６をその位置に固定させる。移動式締め具１６を固定式締め具１５側に摺動させる動作は、第２の紐体１３の端に結び目５を設けておき、その結び目５を片手で持って行なうとよい。そうすることでペットボトル１０の首部１０ａを固く締め付けることができる。
【００３２】
以上のような手順により、第２の紐体１３が図１０に示すようにペットボトル１０の首部１０ａに締め付け固定される。その状態で環状の第１の紐体１２を吊り下げ部として持ち上げれば、ペットボトル１０は固定式締め具１５を介して繋がれた第１、第２の紐体１２、１３により吊り下げられた状態となる。
【００３３】
本実施形態のストラップ１１の場合、移動式締め具１６を摺動させて携行品であるペットボトル１０の被吊部に締め付け固定するので、異なる寸法（周長）の被吊部にも容易に対応できる利点がある。また、吊り下げ部となる第１の紐体１２は固定長であるので、被吊部の寸法（周長）が異なっても吊り下げ部の長さは変化しない利点がある。
【００３４】
図１１は、第１の実施形態の図７に対応するもので、第２の紐体１３をペットボトル１０の被吊部（この場合は首部１０ａ）に締めつけ固定させる他の実施形態を示している。固定式締め具１５と移動式締め具１６の間の２本の紐体１３ａ、１３ｂを開き、開いた紐体の一方は右回り、他方は左回りで輪を形成させ、それら２つの輪の中にペットボトル１０の首部１０ａを挿入して締め付け固定させる。このように輪を形成して締め付ければ、第２の紐体１３が首部１０ａの縊れ部に食い込み、締め付け固定が確実になる。ペットボトル１０の胴部１０ｂにストラップ１１を締め付け固定させる場合も同様に行なう。
【００３５】
（第３の実施形態）
図１２は、第３の実施形態に係るストラップ２１の構成とその使用例を示したものである。本実施形態のストラップ２１は第２の実施形態に係るストラップ１１を変形したもので、ストラップ１１における第１の紐体１２の代わりに外れ止め付フック２２を鎖２３を介して固定式締め具１５に取り付けたものである。鎖２３の代わりに紐を使用してもよい。外れ止め付フック２２はフック本体２４と外れ止め片２５とから構成されている。
【００３６】
外れ止め片２５はフック本体２４の鉤部の湾曲方向と平行な面内で回動可能に取り付けられ、鉤部の開口を閉じる方向にばねで付勢されている。外れ止め片２５を鉤部の奥側へ回動させて開口を開かせ、鞄、リュック、ベルト等に設けられている被吊持部に引っ掛け、その状態で開口を閉じさせる。本実施形態のストラップ２１は外れ止め付フック２２を使用しているため、携行品を鞄、リュック、ベルト等の被吊持部に簡単な操作で確実に吊り下げることができる。
【００３７】
（その他の変形実施形態）
前記第１、第２の実施形態におけるストラップ１、ストラップ１１の締めつけ側紐体の端には結び目５を設けたが、代わりに固定式の締め具で２本の紐体の端を結びつけ、その部分に人形、動物などのキャラクター類を利用した識別体を取り付けるとよい。そのようにすれば、携行品の外観が同じでも識別が可能になる他、美的感覚、おしゃれ感覚が増して携行を楽しくさせる効果がもたらされる。
【００３８】
また、第１の実施形態で説明したストラップ１の場合、二つ折り端２ｃと第１の締め具３ａ間に第１のペットボトルの被吊部を挿入して第１の締め具３ａにてその被吊部を締め付け固定し、第２の締め具３ｂと結び目５間に第２のペットボトルの被吊部を挿入して第２の締め具３ｂにてその被吊部を締め付け固定し、その状態で第１、第２の締め具３ａ、３ｂ間の吊り紐体２を持ち上げる用い方をすることもできる。そのようにすれば、同時に２個のペットボトルを吊り下げ携帯することができる。
【図面の簡単な説明】
【００３９】
【図１】第１の実施形態に係るストラップ１の斜視図である。
【図２】締め具３の外観図である。
【図３】締め具３の縦断面である。
【図４】ストラップ１の使用法の説明図である。
【図５】ストラップ１をペットボトル１０の首部１０ａに固定した図である。
【図６】ストラップ１をペットボトル１０の胴部１０ｂに固定した図である。
【図７】吊り紐体２をペットボトル１０に固定させる他の方法の説明図である。
【図８】第２の実施形態に係るストラップ１１の斜視図である。
【図９】第２の実施形態に係るストラップ１１の使用法の説明図である。
【図１０】第２の実施形態に係る図５相当図である。
【図１１】第２の実施形態に係る図７相当図である。
【図１２】第３の実施形態に係るストラップ２１とその使用例である。
【図１３】従来技術に係るストラップの例である。
【符号の説明】
【００４０】
図面中、１はストラップ、２は吊り紐体、２ａ、２ｂは紐体、３は締め具、３ａは第１の締め具、３ａは第２の締め具、５は結び目、１１はストラップ、１２は第１の紐体、１３は第２の紐体、１５は固定式締め具、１６は移動式締め具、２１はストラップ、２２は外れ止め付フック、２３は鎖、２４はフック本体を示す。
【図１】
0003132582.tif 000003
【図２】
0003132582.tif 000004
【図３】
0003132582.tif 000005
【図４】
0003132582.tif 000006
【図５】
0003132582.tif 000007
【図６】
0003132582.tif 000008
【図７】
0003132582.tif 000009
【図８】
0003132582.tif 000010
【図９】
0003132582.tif 000011
【図１０】
0003132582.tif 000012
【図１１】
0003132582.tif 000013
【図１２】
0003132582.tif 000014
【図１３】
0003132582.tif 000015